(57)【特許請求の範囲】
【請求項１】
板状の清掃具本体Ａ上に清掃シートＢを固定するシート固定部Ｃが設置され、清掃具本体Ａの底面に巻き付けられた清掃シートＢの端部をシート固定部Ｃにて保持させる如く構成した清掃具に於いて、上記シート固定部Ｃを、外側の基端より中央側の先端が高い位置になる如く弾性的に傾斜させて相対向する左右一対の回動軸部４ａを軸着させることにより、各回動軸部４ａ基端相互を連結する平面視横コ字状の押圧部４ｂを本体Ａ上面に圧接させた前後一対の押さえ金具４として構成したことを特徴とする清掃具。
【請求項２】
上記清掃具本体Ａが、板状基板２と、基板上面前後方向中央部に嵌着固定させた下向き皿状の固定板３とから構成してなる清掃具本体であり、上記回動軸部４ａが、基板２側部上面と固定板３側部下面とで形成する軸受け孔ｇに回動可能に基端を嵌合させるとともに、基板上面中央の軸受け孔ｇより高い位置に形成した下向き半円状の凹溝ｅに先端を回動可能に係止させることにより、弾性的に傾斜させて軸着させた回動軸部である請求項１記載の清掃具。
【請求項３】
上記清掃具本体Ａ上面前後縁部に、上記押圧部４ｂの横桟が嵌合する凹溝ｃを形成してなる請求項１記載の清掃具。
【発明の詳細な説明】
【０００１】
【発明の属する技術分野】
本発明は清掃具に関する。
【０００２】
【従来の技術】
清掃具として、例えば、実開平６−６２９６０号に記載されたものがある。
この清掃具は、上面中央より棒状の柄を延設した板状の本体底面より、上面前後縁部に巻き付けられた清掃用シートの両縁部を、本体上に設けた固定手段により固定して、着脱可能に装着している。
【０００３】
また、この固定手段として、本体上面に設けた凹部上をスリット付きの頂板で被覆し、スリットを押し開いて押し込んだシートの一部を頂板下方へ突出させ、その突出部分の基端をスリットにより挟持して固定する如く構成している。
【０００４】
【発明が解決しようとする課題】
上記従来の清掃具では、スリットの形状を放射状の開き用スリットと、鋸歯状の保持用スリットを組み合わせて、シートの外れが無い様にシートの固定をより確実に行える如く構成しているが、各固定手段は、本体上面にスポット的に押し込んで固定するため、装着したシートに歪みが生じ易く、また、シートの取り付け、取り外しの際、スリットを強引に変形させて押し込み或いは引き抜くため、度重なるシートの交換を行うとスリット部分に変形が生じて良好な保持性を得られなくなる虞がある。更に、シートの厚さが厚いものにあっては、スポット的に凹ますのが行い難く、厚手のシートの装着には不向きである。
【０００５】
本発明はこの様な点に鑑み、シートの装着を容易に、歪みがなく、しかも外れることなく強固に固定でき、また、シートの取り外しの際も簡単に行えるとともに、度重なるシートの交換を行っても、良好なシート保持性を維持でき、更に、厚手のシートも容易且つ強固に固定できる優れた清掃具を提案するものである。
また、構造が簡単で、組み付け操作も容易に行える利点を兼ね備えた清掃具を提案するものである。
【０００６】
【課題を解決するための手段】
本請求項１発明の清掃具は、上記課題を解決するため、板状の清掃具本体Ａ上に清掃シートＢを固定するシート固定部Ｃが設置され、清掃具本体Ａの底面に巻き付けられた清掃シートＢの端部をシート固定部Ｃにて保持させる如く構成した清掃具に於いて、上記シート固定部Ｃを、外側の基端より中央側の先端が高い位置になる如く弾性的に傾斜させて相対向する左右一対の回動軸部４ａを軸着させることにより、各回動軸部４ａ基端相互を連結する平面視横コ字状の押圧部４ｂを本体Ａ上面に圧接させた前後一対の押さえ金具４として構成したことを特徴とする清掃具として構成した。
【０００７】
また、請求項２発明の清掃具は、上記清掃具本体Ａが、板状基板２と、基板上面前後方向中央部に嵌着固定させた下向き皿状の固定板３とから構成してなる清掃具本体であり、上記回動軸部４ａが、基板２側部上面と固定板３側部下面とで形成する軸受け孔ｇに回動可能に基端を嵌合させるとともに、基板上面中央の軸受け孔ｇより高い位置に形成した下向き半円状の凹溝ｅに先端を回動可能に係止させることにより、弾性的に傾斜させて軸着させた回動軸部である請求項１記載の清掃具として構成した。
【０００８】
また、請求項３発明の清掃具は、上記清掃具本体Ａ上面前後縁部に、上記押圧部４ｂの横桟が嵌合する凹溝ｃを形成してなる請求項１記載の清掃具として構成した。
【０００９】
【発明の実施の形態】
以下、本発明の実施例の形態を図面を参照して説明する。
【００１０】
本発明の清掃具は、板状の清掃具本体Ａ上に清掃シートＢを固定するシート固定部Ｃが設置され、清掃具本体Ａの底面に巻き付けられた清掃シートＢの端部をシート固定部Ｃにて保持させる如く構成している。
【００１１】
図面に示す実施例では、清掃具１は、基板２及び固定板３よりなる清掃具本体Ａと、シート固定部Ｃとしての押さえ金具４と、柄５とを備えている。
【００１２】
基板２は、その上面前部から前面，下面，後面を介して後部上面に至る部分にシートＢを装着させる。図示例では、上部材２ａと下部材２ｂとの二部材で基板２を構成している。
【００１３】
上部材２ａは、横長矩形筒状の周壁６上端縁より頂板７を延設した下端面開口の箱型をなし、両側を残して中央部を横長に下方に凹ませた凹部ａを形成している。また、凹部ａ前後の頂板７には、凹部ａに沿って固定板３を嵌着固定させるための嵌合孔ｂを横方向間隔をあけて穿設しており、頂板７前後縁部には、各々側面視下向き半円状の凹溝ｃを長手方向に沿って凹設している。
【００１４】
また、凹部ａ左右の頂板部分には、側面視下向き半円状をなす前後一対の凹溝ｄをそれぞれ凹設し、また、凹部ａ内中央部には、左右一対の軸受け板８を起立させ、その上面に側面視下向き半円状の凹溝ｅを各一対凹設している。この凹溝ｅは、基板２の凹溝ｄとは前後方向の位置が同じで、高い位置に形成している。
【００１５】
下部材２ｂは、上部材周壁６外周に嵌合させた周壁９下端縁よりフラットな底壁１０を延設してなる皿状をなし、周壁９外面は外方に行くに従って広がる傾斜面に形成している。下部材２ｂと上部材２ａとは、上部材周壁６の下部を若干大径に構成し、下部材周壁９内面下部に周設した凹溝内に、その大径部分を嵌着する如く構成している。
【００１６】
固定板３は、基板２上に固定して押さえ金具４を軸着させ、また、その上面には柄５を延設させるためのもので、基板２上面前後方向中央部に嵌着固定させた下向き皿状をなしている。
【００１７】
図示例では、周壁１１上端縁より頂壁１２を延設した下端面開口の箱型をなし、周壁１１下面の前部に間隔をあけてフック１３を垂設し、この各フックを上記各嵌合孔ｂに強制的に嵌着させて固定している。
【００１８】
また、周壁１１の両側下面には、各々所定間隔をあけて上向き半円状の凹溝ｆを各一対形成しており、基板２上面の凹溝ｄとで各々軸受け孔ｇを形成している。また、頂壁１２中央には柄５を装着するための嵌合筒部１４の上端を貫通して開口しており、上方突出部分の前後左右には下向き半円状をなす凹陥部ｈを設けており、更に、嵌合筒部下端縁より内方へフランジ１５を延設している。
【００１９】
本発明に於けるシート固定部Ｃは、外側の基端より中側の先端が高い位置になる如く弾性的に傾斜させて相対向する左右一対の回動軸部４ａ，４ａを軸着させることにより、各回動軸部４ａ基端相互を連結する平面視横コ字状の押圧部４ｂを本体Ａ上に圧接する如く下方へ付勢させてなる前後一対の押さえ金具４として構成している。
【００２０】
図示例では、押さえ金具４は、横長矩形状で、長辺の中央部を切り欠いた開環状をなし、切り欠き部分両側を回動軸部４ａに、その他を押圧部４ｂに構成している。そして、各回動軸部４ａを軸受け孔ｇと軸受け板８の凹溝ｅとの高低差により弾性的に傾斜させて軸着させることにより、押圧部４ｂを下方に付勢させている。また、押圧部４ｂの横桟部分は各々上記凹溝ｃ内に嵌合する如く構成している。更に、押圧部４ｂの中央部には、上方へ隆起させた指掛け部ｉを形成している。
【００２１】
清掃シートＢは、不織布，紙，合成樹脂等で形成された従来この種の清掃具に使用されているものが使用でき、清掃具本体Ａの底面に巻き付けて、その両端縁部を本体上面前後に於いて押さえ金具４の押圧部４ｂにより押圧係止する如く構成している。
【００２２】
また、図示例に於ける柄５は、固定板３に回動可能に嵌合させた連結部材１６を介して装着している。連結部材１６は、下端縁に周方向複数の縦切溝ｊを穿設するとともに、外周下端縁に係合突条１７を周設してなる嵌合筒部１８を有し、この嵌合筒部１８を下面中央より垂設した底板１９上面左右より、内面に軸受け溝ｋを凹設した一対の支持壁２０を立設して構成している。そして、固定板３の嵌合筒部１４内に、そのフランジ１５下面に係合突条１７が抜け出し不能に係合する如く押圧嵌合させて回動可能且つ抜け出し不能に嵌合させる。この連結部材１６の軸受け溝ｋに両側下端部より突設した軸２１を回動可能に枢着させて、支持壁２０間を前後方向に回動可能に柄５を連結している。従って、柄５は、回動も、傾倒も可能となる如く構成している。本実施例では、柄５を三部材で構成している。
【００２３】
上記の如く構成した清掃具１は、例えば、清掃シートＢの一端縁を一方の押さえ金具４の押圧部４ｂにより固定させた後、本体Ａ下面を巻き回して他端縁を他方の押さえ金具４の押圧部により固定させることにより簡単に且つシートに歪みを生じさせることなく装着することができ、また、各押圧部４ｂを持ち上げて極めて容易に取り外すことができる如く構成している。
【００２４】
尚、上記各部材は、特に断りの無い限り合成樹脂で形成すると良い。
【００２５】
【発明の効果】
以上説明した如く本発明清掃具は、既述構成としたことにより、清掃シート端縁全体を押圧固定させることができ、しかも、押圧固定は上方より全体を押圧する構造であるため、装着したシートに歪み等が生じることを極力防止でき、また、装着に当たっても、押さえ金具を持ち上げてシート端部を挿入するだけで良いため、極めて簡単に行えるものである。
【００２６】
また、シート固定部も単純構成で且つ丈夫な押さえ金具を使用しているため、耐久性に優れ、度重なるシートの交換を行っても、その保持力の低下は極めて少なく、良好なシート保持力を持続することができるものである。
【００２７】
また、請求項２に記載の清掃具では、押さえ金具の取り付けが極めて容易に行え、組み付け操作が容易となる利点を兼ね備えている。
【００２８】
また、請求項３に記載の清掃具では、厚手のシートを装着してもより確実にシートの固定を行える利点を兼ね備えている。
【図面の簡単な説明】
【図１】本発明の一実施例を示す斜視図である。
【図２】同実施例の分解斜視図である。
【図３】同実施例の要部縦断面図である。
【符号の説明】
２…基板，３…固定板，４…押さえ金具，４ａ…回動軸部，４ｂ…押圧部，
８…軸受け板，Ａ…清掃具本体，Ｂ…清掃シート，Ｃ…シート固定部，
ａ…凹部，ｅ…凹溝，ｇ…軸受け孔
【図１】
0003631356.tif 000002
【図２】
0003631356.tif 000003
【図３】
0003631356.tif 000004